(57)【特許請求の範囲】
【請求項１】
装置尾部スリーブと尾部電線とを含み、
前記装置尾部スリーブに弾性係合組立体が提供され、前記尾部電線が前記装置尾部スリーブ内に挿入されて前記弾性係合組立体に係合し、前記尾部電線が前記弾性係合組立体に係合すると、回路をオンにでき、自由に回転でき、
前記弾性係合組立体が尾部バネ式リングを含み、前記装置尾部スリーブ内に延伸する前記尾部バネ式リングの一端にバックルが提供され、突起が前記バックルの内側に配置され、バネ溝が前記装置尾部スリーブの内側壁に配置され、前記バネ溝には尾部バネが設けられ、前記尾部バネ式リングが前記装置尾部スリーブ内に延伸して前記尾部バネに当接する、
携帯式ヘアカーラーのための取り外し可能な電源コード構造。
【請求項２】
前記尾部電線が挿入先端部を有し、前記挿入先端部の外側に環状溝が提供され、前記挿入先端部の軸中心に正極挿入ポートが提供され、前記挿入先端部に更に環状負極挿入スロットが提供され、前記バックルの前記突起が前記環状溝にドッキングする、
請求項１に記載の携帯式ヘアカーラーのための取り外し可能な電源コード構造。
【請求項３】
前記装置尾部スリーブに更にソケット端子が提供され、前記ソケット端子に正極接触ピンと環状負極接触片が提供され、前記正極接触ピンが前記正極挿入ポート内に整列して挿入され、前記環状負極接触片が前記環状負極挿入スロットとドッキングする、
請求項２に記載の携帯式ヘアカーラーのための取り外し可能な電源コード構造。
【請求項４】
前記尾部バネ式リングが押されると前記尾部バネが押圧され、前記バックルが前記尾部バネ式リングと一緒に移動することで、前記装置尾部スリーブは前記尾部電線から取り外される、
請求項３に記載の携帯式ヘアカーラーのための取り外し可能な電源コード構造。
【請求項５】
前記環状負極挿入スロットには電源負極接触端子が提供され、前記正極挿入ポート内には電源正極接触端子が提供される、
請求項３に記載の携帯式ヘアカーラーのための取り外し可能な電源コード構造。
【請求項６】
前記電源負極接触端子が前記環状負極挿入スロットの周りに設けられた、
請求項５に記載の携帯式ヘアカーラーのための取り外し可能な電源コード構造。
【請求項７】
前記尾部電線の他端が電源コード埋設先端部であり、前記電源コード埋設先端部と前記挿入先端部との間に９０°より大きい角度が形成された、
請求項３に記載の携帯式ヘアカーラーのための取り外し可能な電源コード構造。
【請求項８】
電源コード埋設先端部の１つの側面に吊り下げ穴が提供された、
請求項７に記載の携帯式ヘアカーラーのための取り外し可能な電源コード構造。
【請求項９】
前記電源コード埋設先端部と前記挿入先端部が一体に射出成形された、
請求項７に記載の携帯式ヘアカーラーのための取り外し可能な電源コード構造。
【発明の詳細な説明】
【技術分野】
【０００１】
本発明は理髪製品に関するものであり、特に、携帯用ヘアカーラーのための取り外し可能な電源コード構造に関する。
【背景技術】
【０００２】
現在、ヘアカーラー、ヘアストレートコーム、ヘアカーリングコーム、ヘアアイロン、ヘアドライヤー、電動ヘアドライヤーコームまたはストレートヘアアイロン等といった、異なる理髪効果による異なる機能を有する、理髪用の電気製品が多種存在する。これら電気製品の既存の電源コネクタ部は、一般的に、筐体上の固定の電源コードスロットを介し接続される。取り外しできない電源コネクタにとって、持ち運びと配置は容易でない。本願は上記課題を解決する。
【発明の概要】
【発明が解決しようとする課題】
【０００３】
本発明の目的は、関連技術の上記欠点を考慮し、携帯式ヘアカーラーのための取り外し可能な電源コード構造を提供することである。
【課題を解決するための手段】
【０００４】
関連技術の上記欠点を解決するため、本発明により提供される技術的解決は、装置尾部スリーブと尾部電線を含み、装置スリーブには弾性係合組立体が提供され、尾部電線が装置尾部スリーブ内に挿入されて弾性係合組立体と係合する、携帯式ヘアカーラーのための取り外し可能な電源コード構造である。尾部電線が弾性係合組立体と係合されたとき、回路をオンにでき、自由に回転することができる。
【０００５】
本発明の携帯式ヘアカーラーのための取り外し可能な電源コード構造の改善として、弾性係合組立体が尾部バネ式リングを含み、装置尾部スリーブ内に延伸する尾部バネ式リングの一端にはバックルが提供され、突起がバックルの内側に設けられる。装置尾部スリーブの内側壁にはバネ溝が提供され、尾部バネがバネ溝に設けられ、尾部バネ式リングが装置尾部スリーブ内に延伸して尾部バネに当接する。
【０００６】
本発明の携帯式ヘアカーラーのための取り外し可能な電源コード構造の改善として、尾部電線が挿入先端部を有し、挿入先端部の外側には環状溝が提供される。挿入先端部の軸中心には正極挿入ポートが提供され、挿入先端部は更に環状負極挿入スロットが提供され、バックルの突起が環状溝とドッキングする。
【０００７】
本発明の携帯式ヘアカーラーのための取り外し可能な電源コード構造の改善として、装置尾部スリーブに更にソケット端子が提供され、ソケット端子には正極接触ピンと環状負極接触片が提供される。正極接触ピンは正極挿入ポート内に整列して挿入され、環状負極接触片は環状負極挿入スロットとドッキングする。
【０００８】
本発明の携帯式ヘアカーラーのための取り外し可能な電源コード構造の改善として、尾部バネを押圧するため尾部バネ式リングが押されると、バックルが尾部バネ式リングと一緒に移動し、尾部電線から取り外される。
【０００９】
本発明の携帯式ヘアカーラーのための取り外し可能な電源コード構造の改善として、環状負極挿入スロットには電源負極接触端子が提供され、正極挿入ポートにはその内に電源正極接触端子が提供される。
【００１０】
本発明の携帯式ヘアカーラーのための取り外し可能な電源コード構造の改善として、電源負極接触端子が環状負極挿入スロットの周りに設けられる。
【００１１】
本発明の携帯式ヘアカーラーのための取り外し可能な電源コード構造の改善として、尾部電線の他端が電源コード埋設先端部であり、電源コード埋設先端部と挿入先端部との間には９０°より大きい角度が形成される。
【００１２】
本発明の携帯式ヘアカーラーのための取り外し可能な電源コード構造の改善として、電源コード埋設先端部の１つの側には吊り下げ穴が提供される。
【００１３】
本発明の携帯式ヘアカーラーのための取り外し可能な電源コード構造の改善として、電源コード埋設先端部と挿入先端部が一体に射出成形される。
【発明の効果】
【００１４】
既存技術と比較し、本発明により適合された電源コネクタ構造は装置尾部スリーブと尾部電線の挿入を介し回転でき、弾性係合組立体が装置尾部スリーブに配置される、という利点を本発明は有する。尾部電線は、装置尾部スリーブ内に挿入されて弾性係合組立体と係合する。尾部電線が弾性係合組立体と係合すると、回路をオンにでき、自由に回転できる。尾部配線が電気接続されると、使用中に折れたり曲がったりすることなく自由に回転でき、これにより尾部電線の寿命を効果的に確保し、ある程度、電源コードの保護効果を有する。更に、製品の電源コネクタは様々な理髪用電気製品の電源ドッキングに適合でき、自由に交換でき、汎用性が高い。
【００１５】
本発明とその有益な技術的効果は、図面と特定の実施形態に基づき以下に更に詳細に説明される。
【図面の簡単な説明】
【００１６】
【図１】本発明の主図である。
【図２】本発明の平面図である。
【図３】本発明の断面図である。
【発明を実施するための形態】
【００１７】
本発明は、図面と特定の実施形態に基づき以下に更に詳細に説明されるが、本発明の実施形態はこれに限定されない。
【００１８】
図１、図２、図３に示されるように、携帯式ヘアカーラーのための取り外し可能な電源コード構造は、装置尾部スリーブ１１と尾部電線１２とを含む。弾性係合組立体１０１が装置尾部スリーブ１１に配置されている。尾部電線１２は、装置尾部スリーブ１１内に挿入されて弾性係合組立体１０１と係合する。尾部電線１２が弾性係合組立体１０１に係合されると、回路をオンにでき、自由に回転できる。
【００１９】
好ましくは、弾性係合組立体１０１は尾部バネ式リング１０２を含む。装置尾部スリーブ１１内に延伸する尾部バネ式リング１０２の一端には、バックル１０３が提供される。バックル１０３の内側には突起１０４が提供され、バネ溝１０５が装置尾部スリーブ１１の内側壁に設けられる。尾部バネ１０６は、バネ溝１０５に設けられる。尾部バネ式リング１０２は、装置尾部スリーブ１１内に延伸して尾部バネ１０６に当接する。
【００２０】
好ましくは、尾部電線１２は挿入先端部１０７を有する。挿入先端部１０７の外側には環状溝１０８が提供される。挿入先端部１０７の軸中心には正極挿入ポート１０９が提供され、挿入先端部１０７には、その内に更に環状負極挿入スロット１１０が提供される。バックル１０３の突起１０４は、環状溝１０８とドッキングする。
【００２１】
好ましくは、装置尾部スリーブ１１には更にソケット端子１１１が提供される。ソケット端子１１１には、正極接触ピン１１２と、環状負極接触片１１３とが提供される。正極接触ピン１１２は正極挿入ポート１０９内に整列して挿入され、環状負極接触片１１３は環状負極挿入スロット１１０とドッキングする。ソケット端子１１１は、ＰＣＢボード５と電気接続する。
【００２２】
好ましくは、尾部バネ１０６を押圧するため尾部バネ式リング１０２が押されると、バックル１０３は、尾部バネ式リング１０６と一緒に移動して尾部電線１２から取り外される。
【００２３】
好ましくは、環状負極挿入スロット１１０には電源負極接触端子が提供され、正極挿入ポート１０９には、その内に電源正極接触端子が提供される。
【００２４】
好ましくは、電源負極接触端子が環状負極挿入スロット１１０の周りに設けられる。環状負極挿入スロット１１０が理髪用電気製品の接触端子とドッキングすると、電源負極接触端子は電気接続を確保するため端子に完全に接触する。環状負極挿入スロット１１０は、一定の挿入および位置決め機能を有する。
【００２５】
好ましくは、尾部電線１２の他端は電源コード埋設先端部１１４であり、電源コード埋設先端部１１４と挿入先端部１０７との間には９０°より大きい角度が形成される。
【００２６】
好ましくは、電源コード埋設先端部１１４の１つの側には吊り下げ穴が提供される。吊り下げ穴１１５は、電源コネクタを吊り下げることを容易にし、作業者が取り上げる、そして置くことを容易にする。
【００２７】
好ましくは、電源コード埋設先端部１１４と挿入先端部１０７は射出成形により一体に形成される。電源正極接触端子と電源負極接触端子は、全て尾部電線内に隠されており、安全性能が高い。
【００２８】
本発明により適合された電源コネクタ構造は、装置尾部スリーブと尾部電線の挿入を介し回転できる。弾性係合組立体が装置尾部スリーブに配置され、尾部電線が装置尾部スリーブ内に挿入されて弾性係合組立体と係合する。尾部電線が弾性係合組立体内に係合されると、回路をオンにでき、自由に回転できる。尾部電線が電気接続されると、使用中に折れたり曲がったりすることなく自由に回転でき、これにより尾部電線の寿命を効果的に確保する。
【００２９】
本発明の実施形態が示され説明されたが、当業者は、本発明の精神または構造から逸脱することなく、実施形態に改変、補正、置換、変形を行うことができる。本発明の範囲は、添付の請求項とその均等物により定義される。
【産業上の利用可能性】
【００３０】
本発明の携帯式ヘアカーラーのための取り外し可能な電源コード構造は、理髪用電気製品に適用できる。
【符号の説明】
【００３１】
１１：装置尾部スリーブ
１２：尾部電線
１０１：弾性係合組立体
１０２：尾部バネ式リング
１０３：バックル
１０４：突起
１０５：バネ溝
１０６：尾部バネ
１０７：挿入先端部
１０８：環状溝
１０９：正極挿入ポート
１１０：環状負極挿入スロット
１１１：ソケット端子
１１２：正極接触ピン
１１３：環状負極接触片
１１４：電源コード埋設先端部
１１５：吊り下げ穴
【図１】
0006913190.tif 000002
【図２】
0006913190.tif 000003
【図３】
0006913190.tif 000004